【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオデータのトラックを構文解析することと、ここにおいて、前記トラックは１つ以上のビューを含む、
前記トラックがテクスチャビューのみを含むか、深度ビューのみを含むか、又はテクスチャビューと深度ビューの両方を含むかを決定するために情報を構文解析することと、
前記情報の前記構文解析に部分的に基づいてビデオデータの前記トラック中の前記1つ以上のビューの少なくとも1つを復号することと、
を備える、方法。
【請求項２】
情報を構文解析することが更に、サンプルエントリーとマルチビューグループエントリーの少なくとも１つからのビュー識別子ボックスを構文解析することを備え、前記サンプルエントリーと前記マルチビューグループエントリーの前記少なくとも１つが前記トラックと関連付けられる、請求項１に記載の方法。
【請求項３】
情報を構文解析することが更に、前記トラックに含まれる各ビューに対して、前記ビューがテクスチャビューか深度ビューかを前記ビュー識別子ボックスから決定することを備える、請求項２に記載の方法。
【請求項４】
情報を構文解析することが更に、参照ビューのテクスチャビュー又は深度ビューが前記トラック中の特定のビューを復号するために必要とされるかどうかを前記ビュー識別子ボックスから決定することを備える、請求項２に記載の方法。
【請求項５】
前記ビデオデータが、第１のテクスチャビューと第１の深度ビューとを含む第１のビデオデータを備え、
前記第１のビデオデータに基づいて、第２のビデオデータを構文解析することを更に備え、情報を構文解析することが、前記第２のビデオデータを復号するために前記第１のビデオデータの前記第１のテクスチャビューが使用されるか、前記第１の深度ビューが使用されるか、又は前記第１のテクスチャビューと前記第１の深度ビューの両方が使用されるかを決定するために、情報を構文解析することを備える、請求項１に記載の方法。
【請求項６】
前記ビューの１つ以上と関連付けられる３次元スケーラビリティ情報補足強化情報（ＳＥＩ）メッセージを決定するために、ＳＥＩメッセージボックスを構文解析することを更に備える、請求項１に記載の方法。
【請求項７】
前記トラックが１つ以上の深度ビューを含み、
前記１つ以上の深度ビューの空間分解能を決定するために３ＶＣ深度分解能ボックスを構文解析することを更に備える、請求項１に記載の方法。
【請求項８】
前記トラックに含まれる深度ビューの幅と高さとを決定するために、３次元ビデオコード化（３ＶＣ）デコーダ構成記録を構文解析することを更に備える、請求項１に記載の方法。
【請求項９】
前記トラックが第１のトラックであり、前記第１のトラックがビューの深度ビューと前記ビューのテクスチャビューの１つを含み、
ビデオデータの第２のトラックを構文解析することを更に備え、前記第２のトラックが、前記第１のトラックに含まれない、前記ビューの前記深度ビューと前記ビューの前記テクスチャビューの前記１つを含む、請求項１に記載の方法。
【請求項１０】
前記第２のトラックを参照する前記第１のトラックに対するトラック参照を構文解析することを更に備え、前記トラック参照が、前記第２のトラックに記憶されている前記テクスチャビューと関連付けられる前記深度ビューを前記第１のトラックが含むことと、前記第１のトラックが前記第２のトラックに記憶されている前記テクスチャビューに依存することと、前記第１のトラックが前記第２のトラックに記憶されている深度ビューに依存することとの１つを示す、少なくとも１つのトラック参照タイプを含む、請求項９に記載の方法。
【請求項１１】
前記トラックが３次元ビデオコード化（３ＶＣ）トラックであり、
３ＶＣデコーダ構成記録を構文解析することを更に備え、前記３ＶＣデコーダ構成記録が、前記ビデオデータの一致するサンプルエントリーに対する構成記録を示す、請求項１に記載の方法。
【請求項１２】
前記トラックが、１つ以上の深度ネットワーク抽象化レイヤ（ＮＡＬ）単位を含む３次元ビデオコード化（３ＶＣ）トラックであり、前記トラックを構文解析することが更に、エクストラクタを許容するサンプルエントリータイプ「３ｖｃ１」と、エクストラクタを許容しないサンプルエントリータイプ「３ｖｃ２」の少なくとも１つを構文解析することを備える、請求項１に記載の方法。
【請求項１３】
ビデオデータを処理するための装置であって、
ビデオデータを記憶するように構成されるメモリと、
ビデオデータのトラックを構文解析し、ここにおいて、前記トラックは１つ以上のビューを含む、
前記トラックがテクスチャビューのみを含むか、深度ビューのみを含むか、又はテクスチャビューと深度ビューの両方を含むかを決定するために情報を構文解析し、
前記情報の前記構文解析に部分的に基づいてビデオデータの前記トラック中の前記1つ以上のビューの少なくとも1つを復号する
ように構成される１つ以上のプロセッサとを備える、装置。
【請求項１４】
情報を構文解析するが更に、
サンプルエントリーとマルチビューグループエントリーの少なくとも１つからのビュー識別子ボックスを構文解析すると、ここにおいて、前記サンプルエントリーと前記マルチビューグループエントリーの前記少なくとも１つは前記トラックと関連付けられる、
前記トラックに含まれる各ビューに対して、前記ビューがテクスチャビューか深度ビューかを前記ビュー識別子ボックスから決定すると、
参照ビューのテクスチャビュー又は深度ビューが前記トラック中の特定のビューを復号するために必要とされるかどうかを前記ビュー識別子ボックスから決定するとの少なくとも１つを備える、請求項１３に記載の装置。
【請求項１５】
前記ビデオデータが、第１のテクスチャビューと第１の深度ビューとを含む第１のビデオデータを備え、前記１つ以上のプロセッサが更に、
前記第１のビデオデータに基づいて、第２のビデオデータを構文解析するように構成され、情報を構文解析するが、前記第２のビデオデータを復号するために前記第１のビデオデータの前記第１のテクスチャビューが使用されるか、前記第１の深度ビューが使用されるか、又は前記第１のテクスチャビューと前記第１の深度ビューの両方が使用されるかを決定するために、情報を構文解析することを備える、請求項１３に記載の装置。
【請求項１６】
前記１つ以上のプロセッサが更に、
前記ビューの１つ以上と関連付けられる３次元スケーラビリティ情報補足強化情報（ＳＥＩ）メッセージを決定するために、ＳＥＩメッセージボックスを構文解析するように構成される、請求項１３に記載の装置。
【請求項１７】
前記トラックが１つ以上の深度ビューを含み、前記１つ以上のプロセッサが更に、
前記１つ以上の深度ビューの空間分解能を決定するために３ＶＣ深度分解能ボックスを構文解析するように構成される、請求項１３に記載の装置。
【請求項１８】
前記１つ以上のプロセッサが更に、
前記トラックに含まれる深度ビューの幅と高さとを決定するために、３次元ビデオコード化（３ＶＣ）デコーダ構成記録を構文解析するように構成される、請求項１３に記載の装置。
【請求項１９】
前記トラックが第１のトラックであり、前記第１のトラックがビューの深度ビューと前記ビューのテクスチャビューの１つを含み、前記１つ以上のプロセッサが更に、
ビデオデータの第２のトラックを構文解析し、ここにおいて、前記第２のトラックは、前記第１のトラックに含まれない、前記ビューの前記深度ビューと前記ビューの前記テクスチャビューの１つを含む、
前記第２のトラックを参照する前記第１のトラックに対するトラック参照を構文解析するように構成され、前記トラック参照が、前記第２のトラックに記憶されている前記テクスチャビューと関連付けられる前記深度ビューを前記第１のトラックが含むことと、前記第１のトラックが前記第２のトラックに記憶されている前記テクスチャビューに依存することと、前記第１のトラックが前記第２のトラックに記憶されている深度ビューに依存することとの１つを示す、少なくとも１つのトラック参照タイプを含む、請求項１３に記載の装置。
【請求項２０】
前記トラックが３次元ビデオコード化（３ＶＣ）トラックであり、前記１つ以上のプロセッサが更に、
３ＶＣデコーダ構成記録を構文解析するように構成され、前記３ＶＣデコーダ構成記録が、前記ビデオデータの一致するサンプルエントリーに対する構成記録を示す、請求項１３に記載の装置。
【請求項２１】
前記トラックが、１つ以上の深度ネットワーク抽象化レイヤ（ＮＡＬ）単位を含む３次元ビデオコード化（３ＶＣ）トラックであり、前記トラックを構文解析するが更に、エクストラクタを許容するサンプルエントリータイプ「３ｖｃ１」と、エクストラクタを許容しないサンプルエントリータイプ「３ｖｃ２」の少なくとも１つを構文解析することを備える、請求項１３に記載の装置。
【請求項２２】
命令を記憶したコンピュータ可読記憶媒体であって、前記命令が、実行されると、ビデオコード化装置の１つ以上のプロセッサに、
ビデオデータのトラックを構文解析させ、ここにおいて、前記トラックは１つ以上のビューを含む、
前記トラックがテクスチャビューのみを含むか、深度ビューのみを含むか、又はテクスチャビューと深度ビューの両方を含むかを決定するために情報を構文解析させ、
前記情報の前記構文解析に部分的に基づいてビデオデータの前記トラック中の前記1つ以上のビューの少なくとも1つを復号させる、
コンピュータ可読記憶媒体。
【請求項２３】
情報を構文解析することが更に、サンプルエントリーとマルチビューグループエントリーの少なくとも１つからのビュー識別子ボックスを構文解析することを備え、前記サンプルエントリーと前記マルチビューグループエントリーの前記少なくとも１つが前記トラックと関連付けられる、請求項２２に記載のコンピュータ可読記憶媒体。
【請求項２４】
情報を構文解析するが更に、
前記トラックに含まれる各ビューに対して、前記ビューがテクスチャビューか深度ビューかを前記ビュー識別子ボックスから決定すると、
参照ビューのテクスチャビュー又は深度ビューが前記トラック中の特定のビューを復号するために必要とされるかどうかを前記ビュー識別子ボックスから決定するとの少なくとも１つを備える、請求項２３に記載のコンピュータ可読記憶媒体。
【請求項２５】
コード化されたビデオコンテンツを含むビデオファイルを構文解析するように構成される装置であって、
ビデオデータのトラックを構文解析するための手段と、ここにおいて、前記トラックは１つ以上のビューを含む、
前記トラックがテクスチャビューのみを含むか、深度ビューのみを含むか、又はテクスチャビューと深度ビューの両方を含むかを決定するために情報を構文解析するための手段と、
前記情報の前記構文解析に部分的に基づいてビデオデータの前記トラック中の前記1つ以上のビューの少なくとも1つを復号する手段と、
を備える、装置。
【請求項２６】
情報を構文解析するための手段が更に、サンプルエントリーとマルチビューグループエントリーの少なくとも１つからのビュー識別子ボックスを構文解析するための手段を備え、前記サンプルエントリーと前記マルチビューグループエントリーの前記少なくとも１つが前記トラックと関連付けられる、請求項２５に記載の装置。
【請求項２７】
情報を構文解析するための手段が更に、
前記トラックに含まれる各ビューに対して、前記ビューがテクスチャビューか深度ビューかを前記ビュー識別子ボックスから決定するための手段と、
参照ビューのテクスチャビュー又は深度ビューが前記トラック中の特定のビューを復号するために必要とされるかどうかを前記ビュー識別子ボックスから決定するための手段との少なくとも１つを備える、請求項２６に記載の装置。
【請求項２８】
ビデオデータを処理する方法であって、
ビデオデータのトラックを合成することと、ここにおいて、前記トラックは１つ以上のビューを含む、
前記トラックがテクスチャビューのみを含むか、深度ビューのみを含むか、又はテクスチャビューと深度ビューの両方を含むかを示す情報を合成することと、
前記情報の前記合成に部分的に基づいてビデオデータの前記トラック中の前記1つ以上のビューの少なくとも1つを符号化することと、
を備える、方法。
【請求項２９】
情報を合成することが更に、サンプルエントリーとマルチビューグループエントリーの少なくとも１つへとビュー識別子ボックスを合成することを備え、前記サンプルエントリーと前記マルチビューグループエントリーの前記少なくとも１つが前記トラックと関連付けられる、請求項２８に記載の方法。
【請求項３０】
情報を合成することが更に、前記トラックに含まれる各ビューに対して、前記ビューがテクスチャビューか深度ビューかを前記ビュー識別子ボックスにおいて示すことを備える、請求項２９に記載の方法。
【請求項３１】
参照ビューのテクスチャビュー又は深度ビューが前記トラック中の特定のビューを復号するために必要とされるかどうかを前記ビュー識別子ボックスが示す、請求項２９に記載の方法。
【請求項３２】
前記ビデオデータが、第１のテクスチャビューと第１の深度ビューとを含む第１のビデオデータを備え、
前記第１のビデオデータに基づいて、第２のビデオデータを合成することを更に備え、情報を合成することが、前記第２のビデオデータを構文解析するために前記第１のビデオデータの前記第１のテクスチャビューが使用されるか、前記第１の深度ビューが使用されるか、又は前記第１のテクスチャビューと前記第１の深度ビューの両方が使用されるかを示す情報を合成することを備える、請求項２８に記載の方法。
【請求項３３】
１つ以上のビューと関連付けられる３次元スケーラビリティ情報補足強化情報（ＳＥＩ）メッセージを含む、ＳＥＩメッセージボックスを合成することを更に備える、請求項２８に記載の方法。
【請求項３４】
前記トラックが１つ以上の深度ビューを含み、
３ＶＣ深度分解能ボックスにおいて前記１つ以上の深度ビューの空間分解能を示す情報を合成することを更に備える、請求項２８に記載の方法。
【請求項３５】
３次元ビデオコード化（３ＶＣ）デコーダ構成記録を合成することを更に備え、前記３ＶＣデコーダ構成記録が、前記トラックに含まれる深度ビューの幅と高さとを示す、請求項２８に記載の方法。
【請求項３６】
前記トラックが第１のトラックであり、前記第１のトラックがビューの深度ビューと前記ビューのテクスチャビューの１つを含み、
ビデオデータの第２のトラックを合成することを更に備え、前記第２のトラックが、前記第１のトラックに含まれない、前記ビューの前記深度ビューと前記ビューの前記テクスチャビューの前記１つを含む、請求項２８に記載の方法。
【請求項３７】
前記第２のトラックを参照する前記第１のトラックに対するトラック参照を合成することを更に備え、前記トラック参照が、前記第２のトラックに記憶されている前記テクスチャビューと関連付けられる前記深度ビューを前記第１のトラックが含むことと、前記第１のトラックが前記第２のトラックに記憶されている前記テクスチャビューに依存することと、前記第１のトラックが前記第２のトラックに記憶されている深度ビューに依存することとの１つを示す、少なくとも１つのトラック参照タイプを含む、請求項３６に記載の方法。
【請求項３８】
前記トラックが３次元ビデオコード化（３ＶＣ）トラックであり、
３ＶＣデコーダ構成記録を合成することを更に備え、前記３ＶＣデコーダ構成記録が、前記ビデオデータの一致するサンプルエントリーに対する構成記録を示す、請求項２８に記載の方法。
【請求項３９】
前記トラックが、１つ以上の深度ネットワーク抽象化レイヤ（ＮＡＬ）単位を含む３次元ビデオコード化（３ＶＣ）トラックであり、前記トラックを合成することが更に、エクストラクタを許容するサンプルエントリータイプ「３ｖｃ１」と、エクストラクタを許容しないサンプルエントリータイプ「３ｖｃ２」の少なくとも１つを合成することを備える、請求項２８に記載の方法。
【請求項４０】
ビデオデータを処理するための装置であって、
ビデオデータを記憶するように構成されるメモリと、
ビデオデータのトラックを合成し、ここにおいて、前記トラックは１つ以上のビューを含む、
前記トラックがテクスチャビューのみを含むか、深度ビューのみを含むか、又はテクスチャビューと深度ビューの両方を含むかを示す情報を合成する
前記情報の前記合成に部分的に基づいてビデオデータの前記トラック中の前記1つ以上のビューの少なくとも1つを符号化する
ように構成される１つ以上のプロセッサとを備える、装置。
【請求項４１】
情報を合成することが更に、サンプルエントリーとマルチビューグループエントリーの少なくとも１つへとビュー識別子ボックスを合成することを備え、前記サンプルエントリーと前記マルチビューグループエントリーの前記少なくとも１つが前記トラックと関連付けられる、請求項４０に記載の装置。
【請求項４２】
情報を合成することが更に、前記トラックに含まれる各ビューに対して、前記ビューがテクスチャビューか深度ビューかを前記ビュー識別子ボックスにおいて示すことを備える、請求項４１に記載の装置。
【請求項４３】
参照ビューのテクスチャビュー又は深度ビューが前記トラック中の特定のビューを復号するために必要とされるかどうかを前記ビュー識別子ボックスが示す、請求項４１に記載の装置。
【請求項４４】
前記ビデオデータが、第１のテクスチャビューと第１の深度ビューとを含む第１のビデオデータを備え、
前記第１のビデオデータに基づいて、第２のビデオデータを合成するように更に構成され、情報を合成するが、前記第２のビデオデータを構文解析するために前記第１のビデオデータの前記第１のテクスチャビューが使用されるか、前記第１の深度ビューが使用されるか、又は前記第１のテクスチャビューと前記第１の深度ビューの両方が使用されるかを示す情報を合成することを備える、請求項４０に記載の装置。
【請求項４５】
１つ以上のビューと関連付けられる３次元スケーラビリティ情報補足強化情報（ＳＥＩ）メッセージを含む、ＳＥＩメッセージボックスを合成するように更に構成される、請求項４０に記載の装置。
【請求項４６】
前記トラックが１つ以上の深度ビューを含み、
３ＶＣ深度分解能ボックスにおいて前記１つ以上の深度ビューの空間分解能を示す情報を合成するように更に構成される、請求項４０に記載の装置。
【請求項４７】
前記トラックが第１のトラックであり、前記第１のトラックがビューの深度ビューと前記ビューのテクスチャビューの１つを含み、
ビデオデータの第２のトラックを合成し、ここにおいて、前記第２のトラックは、前記第１のトラックに含まれない、前記ビューの前記深度ビューと前記ビューの前記テクスチャビューの前記１つを含む、
前記第２のトラックを参照する前記第１のトラックに対するトラック参照を合成するように更に構成され、前記トラック参照が、前記第２のトラックに記憶されている前記テクスチャビューと関連付けられる前記深度ビューを前記第１のトラックが含むことと、前記第１のトラックが前記第２のトラックに記憶されている前記テクスチャビューに依存することと、前記第１のトラックが前記第２のトラックに記憶されている深度ビューに依存することとの１つを示す、少なくとも１つのトラック参照タイプを含む、請求項４０に記載の装置。
【請求項４８】
前記トラックが３次元ビデオコード化（３ＶＣ）トラックであり、
３ＶＣデコーダ構成記録を合成するように更に構成され、前記３ＶＣデコーダ構成記録が、前記ビデオデータの一致するサンプルエントリーに対する構成記録を示し、前記トラックを合成するが更に、エクストラクタを許容するサンプルエントリータイプ「３ｖｃ１」とエクストラクタを許容しないサンプルエントリータイプ「３ｖｃ２」の少なくとも１つを合成することを備える、請求項４０に記載の装置。
【請求項４９】
命令を記憶したコンピュータ可読記憶媒体であって、前記命令が、実行されると、ビデオコード化装置の１つ以上のプロセッサに、
ビデオデータのトラックを合成させ、ここにおいて、前記トラックは１つ以上のビューを含む、
前記トラックがテクスチャビューのみを含むか、深度ビューのみを含むか、又はテクスチャビューと深度ビューの両方を含むかを示す情報を合成させ、
前記情報の前記合成に部分的に基づいてビデオデータの前記トラック中の前記1つ以上のビューの少なくとも1つを符号化させる、コンピュータ可読記憶媒体。
【請求項５０】
ビデオファイルを合成するように構成される装置であって、
ビデオデータのトラックを合成するための手段と、ここにおいて、前記トラックは１つ以上のビューを含む、
前記トラックがテクスチャビューのみを含むか、深度ビューのみを含むか、又はテクスチャビューと深度ビューの両方を含むかを示す情報を合成するための手段と、
前記情報の前記合成に部分的に基づいてビデオデータの前記トラック中の前記1つ以上のビューの少なくとも1つを符号化する手段と、を備える、装置。